(57)【要約】【課題】本発明は、特別な装置を新たに設けること無く、ロール紙交換をセットすることが可能な自動販売機を提供することにある。【解決手段】用紙印字装置を備えた自動販売機において、用紙切れを検知する検知手段と、テスト印字用の起動手段と、前記検知手段により用紙切れを検知し、用紙交換後、前記起動手段が操作されるとテスト印字と用紙切れ解除を行う制御手段とを備えてなるものである。【選択図】図１
2009070309.tif 000002
【特許請求の範囲】
【請求項１】
用紙印字装置を備えた自動販売機において、用紙切れを検知する検知手段と、テスト印字用の起動手段と、前記検知手段により用紙切れを検知し、用紙交換後、前記起動手段が操作されるとテスト印字と用紙切れ解除を行う制御手段とを備えたことを特徴とする自動販売機。
【請求項２】
用紙はロール紙であり、用紙切れ解除はロール紙全長がセットされることであることを特徴とする請求項１記載の自動販売機。
【請求項３】
用紙印字装置に開閉可能なカバーを備え、カバー開放時に警報を報知することを特徴とする請求項１または２記載の自動販売機。
【発明の詳細な説明】
【技術分野】
【０００１】
本発明は、領収書、売上データなどをロール紙に印字するためのロール紙用プリンタを搭載した自動販売機に関する。
【背景技術】
【０００２】
従来、自動販売機などの無人機において、領収書を発行する装置を設けたものが知られており、ロール紙の有無を判定して、無しと判定された際には、販売を中止する方式が知られおり、ロール紙切れを予告する機能があれば、販売中止をする必要が無く、予告機能が望まれている（例えば、特許文献１参照）。
そこで、例えば、自動券売機において、新たにセットされたロール紙から発券できる総枚数を演算して、券切れ予告枚数をセットし、予告枚数と発券枚数を比較して、券切れ予告を行う方式が知られている（例えば、特許文献２参照）。
【特許文献１】特開平８−２０２９２８号公報
【特許文献２】特開平９−３０５８０１号公報
【発明の開示】
【発明が解決しようとする課題】
【０００３】
ところで、前述した特許文献２の予告装置においては、新たにロール紙をセットした際に予告枚数をセットする必要があり、ロール紙を交換した際にセットをし忘れると、用紙切れ予告が行えないという問題点があった。
本発明は、上記問題点に鑑みてなされたものであり、特別な装置を新たに設けること無く、ロール紙交換をセットすることが可能な自動販売機を提供することを目的とする。
【課題を解決するための手段】
【０００４】
上記目的を達成するために、本発明は、用紙印字装置を備えた自動販売機において、用紙切れを検知する検知手段と、テスト印字用の起動手段と、前記検知手段により用紙切れを検知し、用紙交換後、前記起動手段が操作されるとテスト印字と用紙切れ解除を行う制御手段とを備えたことを特徴とする。
用紙はロール紙であり、用紙切れ解除はロール紙全長がセットされ、また、用紙印字装置に開閉可能なカバーを備え、カバー開放時に警報を報知することを特徴とする請求項１または２記載の自動販売機。
【発明の効果】
【０００５】
本発明は、自動販売機において、用紙交換時にテスト印字の起動手段により、用紙交換完了（ロール紙全長）をセットすることで、ロール紙セット用に新たなスイッチを設ける必要が無くなり、テスト印字の起動手段を兼用することでスイッチの押し忘れも防ぐことが可能となり、この結果、用紙切れ検出機能が確実作動するという効果が得られる。
また、用紙交換の際に、カバーを開くと警報することで、より確実にテスト印字用の起動手段の押し忘れも防ぐことが可能となる。
【発明を実施するための最良の形態】
【０００６】
以下に添付図面を参照しながら、本発明に係る自動販売機の実施の形態について説明する。
図３は、本発明の実施の対象となる自動販売機の概略正面図の一例を示すものであり、自動販売機３は、その本体キャビネット前面に外扉３０を備えており、本体キャビネット内には複数種類の商品を個別に収納する複数（ｎ個）のコラムを備えており、商品選択釦３２が押され、販売指令が与えられた場合に押された商品選択釦３２に対応する商品の払い出しを行う。
この外扉３０には、その表面側に商品見本展示室３１、販売可能ランプおよび売切ランプを内蔵する商品選択釦３２、硬貨投入口３３、返却レバー３４、金額表示器３５、硬貨返却口３６、商品取出口３７、レシート３８ａを発行するレシート発行口３８が設けられている。
商品見本展示室３１は、外扉３０の上部に構成した透明の窓を有し、内部に配列した商品見本３１ａを外部に視認させることが可能である。商品見本展示室３１を通じて視認される商品見本３１ａは、それぞれコラムに収納した商品を現し、商品選択釦３２と対応して設けられている。
【０００７】
次に、図４，図５は、レシート発行装置の一例を示すもので、以下に説明する。
プリンタユニット５０には、その背面に開閉可能なカバー５４を備え、内部にロール紙印字プリンタ５１を内蔵し、その表面側には、領収書ボタン３８ｂ、用紙切れランプ３８ｃ、印字ランプ３８ｄが設けられている。
なお、領収書ボタン３８ｂ、用紙切れランプ３８ｃ、印字ランプ３８ｄは、利用者が操作可能なように自動販売機の外扉３０にフラッパ４１を介して露出している。
次に、ロール紙印字プリンタ５１は、開閉可能なカバー５１ａを介し、内部に印字用のロール紙５２が収容されており、図示しない開閉検知スイッチが設けられている。
また、プリンタユニット５０のカバー５４はその下端がヒンジ５４ａを介して連結し、カバー５４を閉じることにより、ロール紙印字プリンタ５１は所定位置に収容され、カバー上端を締結ねじ５４ｂで閉位置に保持するようにしている。
次に、図１は、本発明の一実施の形態を示す構成ブロック図である。
１は自動販売機全体を制御し、制御プログラムを記憶するメモリ１ａおよび各種データを記憶するメモリ１ｂを備える主制御部である。
この主制御部１には、金額表示器３５、商品選択ボタン３２、領収書発行制御部１１、商品搬出装置１２、表示部付きリモコン１３、コインメカニズム１４などが接続されている。
【０００８】
領収書発行制御部１１には、制御プログラムを記憶するメモリ１１ａおよび各種データを記憶するメモリ１１ｂを備え上述したように領収書ボタン３８ｂ、用紙切れランプ３８ｃ、印字ランプ３８ｄ、ロール紙印字プリンタ５１、印字テストスイッチ１５、警報ブザー１６が接続されている。
リモコン１３は、ロール紙の全長を入力、用紙切れの警報を報知する設定値を入力したり、あるいは出力データの指令を入力したりする。
ロール紙印字プリンタ５１による印字は、自動販売機における商品購入時において、主制御部１からの出力指令によりロール紙印字プリンタ５１はロール紙５２に購入内容を印字してレシート３８ａを発行する場合、また、販売データを集計して売上データを出力印字するために、リモコン１３の入力に基づき、主制御部１では、出力するデータを出力指令としてロール紙印字プリンタ５１に出力してロール紙５２に売上データを印字する場合である。
このロール紙５２の用紙切れ検知は、ロール紙全長とレシート発行長とを対比して、レシートを発行できない場合に用紙切れランプ３８ｃを点滅させて、レシートが発行できないことを報知する。
【０００９】
まず、簡単にレシート発行について説明すると、利用者が自動販売機にて商品を購入し、領収書ボタン３８ｂが押されると、レシート発行口３８から当該取引にかかわるデータをロール紙５２に印字して、レシート３８ａを発行するものである。
このレシート３８印字長の累積とロール紙印字長とを比較して、所定長以下になるとロール紙ランプ３８ｃを点滅させて、ロール紙切れの警報を報知するものである。
このようなロール紙切れ検知時におけるロール紙５２交換の処理手順に関し、図２のフローチャート図を用いて制御動作を説明する。
まず、ロール紙切れかを判断し（ステップＳ１）、ロール紙切れを検出すると（ステップＳ１，Ｙｅｓ）、用紙切れランプ３８ｃを点滅する（ステップＳ２）。
次に、用紙交換のためにロール紙印字プリンタ５１の開閉可能なカバー５１ａが開放されたかを判断し（ステップＳ３）、開閉可能なカバー５１ａが開放されると（ステップＳ３，Ｙｅｓ）、印字テストスイッチ１５の押忘れ防止のために、「ピー、ピー」と警報ブザー１６を鳴らす（ステップＳ４）。
次に、ロール紙５２を交換し（ステップＳ５）、開閉可能なカバー５１ａを閉じ（ステップＳ６）、印字テストスイッチ１５が押されたかを判断し（ステップＳ７）、印字テストスイッチ１５が押されると（ステップＳ７，Ｙｅｓ）、警報ブザー１６を停止する（ステップＳ８）。
【００１０】
次に、印字ランプ３８ｄが点滅し（ステップＳ９）、領収書ボタン３８ｂが押されたかを判断し（ステップＳ１０）、領収書ボタン３８ｂが押されると（ステップＳ１０，Ｙｅｓ）、ロール紙５２にテスト印字を行い、レシート３８ａを発行し（ステップＳ１１）、印字ランプ３８ｄ、用紙切れランプ３８ｃを消灯する（ステップＳ１２）。次に、ロール紙５２の全長がセットされ（ステップＳ１３）、ロール紙交換作業が終了する。
このように、ロール紙交換により用紙切れ検出のためのセット作業が、テスト印字を行うことで可能となるため、作業のし忘れを防止できる。
なお、テスト印字スイッチ１５が操作されないときには、レシート発行機能を停止したままとする。
また、ロール紙全長を入力するため、リモコン１３を用いた例について説明したが、メモリカードのような記憶媒体を用いてもよい。すなわち、メモリカードに予め印字出力フォーマットならびにロール紙の全長を記憶させておき、このメモリカードを領収書発行制御部１１に接続することにより各種データが設定を行えるようにしてもよい。
【図面の簡単な説明】
【００１１】
【図１】本発明の一実施の形態である制御構成を示すブロック図
【図２】本発明における制御動作を示すフローチャート図
【図３】本発明の実施の対象となる自動販売機の概略正面図
【図４】本発明の実施の対象となるレシート発行装置の概略前面拡大図
【図５】本発明の実施の対象となるレシート発行装置一例を示す概略側面図
【符号の説明】
【００１２】
１            主制御部
１ａ，１ｂ    メモリ
１１          領収書発行制御部
１１ａ，１１ｂ    メモリ
１５          印字テストスイッチ
１６          警報ブザー
３８ａ        レシート
３８ｂ        領収書ボタン
３８ｃ        用紙切れランプ
３８ｄ        印字ランプ３８ｄ
５０          プリンタユニット
５１          ロール紙印字プリンタ
５２          ロール紙
【図１】
2009070309.tif 000003
【図２】
2009070309.tif 000004
【図３】
2009070309.tif 000005
【図４】
2009070309.tif 000006
【図５】
2009070309.tif 000007